(57)【要約】【課題】インターネットファクシミリにおいて、ファクシミリ送信先のユーザにインターネット上のセキュリティ情報を提供する。【解決手段】インターネットファクシミリの中継装置１０は、受信した電子メールの署名検証を行い（Ｓ１４）、電子メールに対するセキュリティ上の安全性を判定する（Ｓ１６）。その結果、安全ではないと判定した場合には、その旨を示す署名検証結果情報を生成する（Ｓ２０）。そして、画像データ化してファクシミリ送信のカバーシートを生成し（Ｓ２２）、ファクシミリ送信先である端局に送信する（Ｓ２４）。これにより、端局では、検証に失敗した場合であっても、その旨を知ることが可能となる。【選択図】図３
2007060467.tif 000002
【特許請求の範囲】
【請求項１】
画像とこの画像を端局にファクシミリ送信させる指令とを含む電子メールを受信する電子メール受信手段と、
電子メールに対し公開鍵暗号方式による暗号処理がなされている場合に、対応する復号処理を施す復号手段と、
電子メールに対する暗号処理の状況、または、復号手段による復号処理結果に基づいて、セキュリティ上の安全性を判定する判定手段と、
判定手段により安全であると判定された場合には、電子メールに含まれる指令に従って少なくとも電子メールに含まれる画像を端局にファクシミリ送信し、安全ではないと判定された場合には、少なくとも判定結果を端局にファクシミリ送信するファクシミリ送信手段と、
を備える、ことを特徴とするインターネットファクシミリ中継装置。
【請求項２】
請求項１に記載のインターネットファクシミリ中継装置において、
暗号処理は、電子メールの送信元の秘密鍵によってなされる電子署名であり、
復号処理は、この秘密鍵に対応する公開鍵によってなされる電子署名の検証であり、
判定手段は、電子署名の状況、または、電子署名の検証結果に基づいて、セキュリティ上の安全性を判定する、
ことを特徴とするインターネットファクシミリ中継装置。
【請求項３】
請求項１に記載のインターネットファクシミリ中継装置において、
暗号処理は、インターネットファクシミリ中継装置の公開鍵によってなされる暗号化であり、
復号処理は、この公開鍵に対応する秘密鍵によってなされる復号化であり、
判定手段は、暗号化の状況、または、復号化の結果に基づいて、セキュリティ上の安全性を判定する、
ことを特徴とするインターネットファクシミリ中継装置。
【請求項４】
請求項１に記載のインターネットファクシミリ中継装置において、
ファクシミリ送信手段における判定結果のファクシミリ送信は、判定結果を示す画像を生成し、この画像を端局にファクシミリ送信することで行われる、
ことを特徴とするインターネットファクシミリ中継装置。
【請求項５】
請求項４に記載のインターネットファクシミリ中継装置において、
判定結果を示す画像は、電子メールに含まれる画像に判定結果を重畳して生成され、
ファクシミリ送信手段における判定結果のファクシミリ送信は、判定結果を示す画像をファクシミリ送信することで、電子メールに含まれる画像と判定結果を同時に端局にファクシミリ送信する、
ことを特徴とするインターネットファクシミリ中継装置。
【請求項６】
請求項１に記載のインターネットファクシミリ中継装置において、
ファクシミリ送信手段は、電子メールに含まれる画像のファクシミリ送信に、判定結果をファクシミリプロトコルに従った非画像情報として組み込むことで、電子メールに含まれる画像と判定結果を同時に端局にファクシミリ送信する、
ことを特徴とするインターネットファクシミリ中継装置。
【請求項７】
請求項１に記載のインターネットファクシミリ中継装置において、
ファクシミリ送信手段は、安全ではないと判定された場合に、電子メールに添付された画像の一部または全部のファクシミリ送信を行わない、
ことを特徴とするインターネットファクシミリ中継装置。
【請求項８】
請求項１に記載のインターネットファクシミリ中継装置において、
ファクシミリ送信手段は、少なくとも安全ではないと判定された場合に、判定結果に加えて、電子メールの送信元についての情報、または公開鍵暗号方式の実装情報を端局にファクシミリ送信する、
ことを特徴とするインターネットファクシミリ中継装置。
【請求項９】
請求項６に記載のインターネットファクシミリ中継装置からファクシミリ送信される前記端局を構成する装置であって、
ファクシミリ送信された非画像情報を画像化して出力する出力手段を備える、
ことを特徴とするファクシミリ受信装置。
【請求項１０】
コンピュータに対し、
画像とこの画像を端局にファクシミリ送信させる指令とを含む電子メールを受信する電子メール受信手順と、
電子メールに対し公開鍵暗号方式による暗号処理がなされている場合に、対応する復号処理を施す復号手順と、
電子メールに対する暗号処理の状況、または、復号手順による復号処理結果に基づいて、セキュリティ上の安全性を判定する判定手順と、
判定手順により安全であると判定された場合には、電子メールに含まれる指令に従って少なくとも電子メールに含まれる画像を端局にファクシミリ送信し、安全ではないと判定された場合には、少なくとも判定結果を端局にファクシミリ送信するファクシミリ送信手順と、
を実行させる、ことを特徴とするインターネットファクシミリ中継プログラム。
【請求項１１】
コンピュータが実行する方法であって、
画像とこの画像を端局にファクシミリ送信させる指令とを含む電子メールを受信する電子メール受信手順と、
電子メールに対し公開鍵暗号方式による暗号処理がなされている場合に、対応する復号処理を施す復号手順と、
電子メールに対する暗号処理の状況、または、復号手順による復号処理結果に基づいて、セキュリティ上の安全性を判定する判定手順と、
判定手順により安全であると判定された場合には、電子メールに含まれる指令に従って少なくとも電子メールに含まれる画像を端局にファクシミリ送信し、安全ではないと判定された場合には、少なくとも判定結果を端局にファクシミリ送信するファクシミリ送信手順と、
を含む、ことを特徴とするインターネットファクシミリ中継方法。
【発明の詳細な説明】
【技術分野】
【０００１】
本発明は、画像を含む電子メールを受信しファクシミリ送信を行うインターネットファクシミリの技術、特に電子メールに公開鍵暗号方式による暗号処理を施す場合の技術に関する。
【背景技術】
【０００２】
インターネットを経由してファクシミリ送信するインターネットファクシミリが普及しつつある。このインターネットファクシミリに、電子署名を導入し、セキュリティの向上を図る技術が、下記特許文献１に記載されている。この技術では、画像データと署名情報を含む電子メールを受信して、署名の検証を行い、検証に失敗したときは処理を終了する。他方、検証に成功したときは送信者を特定・立証する証明情報を生成して、画像データに合成してファクシミリ送信するとともに、証明情報と画像データとの対応情報を記憶しておく。これにより、送信者の特定、立証が可能となり、送信者の否認防止を図ることが可能となる。
【０００３】
【特許文献１】特開２００３−５６３９号公報
【発明の開示】
【発明が解決しようとする課題】
【０００４】
上記特許文献１の技術では、検証に失敗した場合には、ファクシミリ送信がなされないため、ファクシミリ送信先のユーザは検証に失敗した事実を知ることができない。
【０００５】
本発明の目的は、インターネットファクシミリにおいて、ファクシミリ送信先のユーザにインターネット上のセキュリティ情報を提供する新たな技術を導入することにある。
【０００６】
本発明の別の目的は、公開鍵暗号方式を採用したインターネットファクシミリにおいて、インターネット上でセキュリティの問題が発生した場合に実施する新たな処理態様を確立することにある。
【課題を解決するための手段】
【０００７】
本発明のインターネットファクシミリ中継装置は、画像とこの画像を端局にファクシミリ送信させる指令とを含む電子メールを受信する電子メール受信手段と、電子メールに対し公開鍵暗号方式による暗号処理がなされている場合に、対応する復号処理を施す復号手段と、電子メールに対する暗号処理の状況、または、復号手段による復号処理結果に基づいて、セキュリティ上の安全性を判定する判定手段と、判定手段により安全であると判定された場合には、電子メールに含まれる指令に従って少なくとも電子メールに含まれる画像を端局にファクシミリ送信し、安全ではないと判定された場合には、少なくとも判定結果を端局にファクシミリ送信するファクシミリ送信手段と、を備える。
【０００８】
インターネットファクシミリ中継装置は、インターネットファクシミリ（ＩＦＡＸと呼ぶ場合もある）の規約（ＲＦＣ（Request For Comment)３１９２）、または他の公的または私的規約に基づいて、受信した電子メールに添付された画像を端局にファクシミリ送信する（転送する）装置である。このインターネットファクシミリ中継装置は、演算機能を備えたハードウエアをソフトウエア（プログラム）によって制御することで実現しうる。ハードウエアの例としては、電子メールの受信機能を備えたファクシミリや複合機（例えば、ファクシミリに加え、スキャナまたはプリンタの少なくとも一方を備えた装置）、あるいはファクシミリを制御可能なＰＣ（パーソナルコンピュータ）などを挙げることができる。
【０００９】
電子メール受信手段は、画像とファクシミリ送信指令が含まれた電子メールを受信する。画像は、通常はファクシミリプロトコルに適合したデータ形式により形成されているが、別のデータ形式で形成されていても、本インターネットファクシミリ中継装置で適当な形式に変換するなどして、ファクシミリ送信に適合させることができる。画像は、例えば、添付を行うことで電子メールに含めることが可能である。また、ファクシミリ送信指令は、ＲＦＣ３１９２では送信先メールアドレス欄になされるが、指示書を電子メール欄に添付するなど他の規約に基づいてなされてもよい。
【００１０】
復号手段は、電子メールに対し公開鍵暗号方式による暗号処理がなされている場合に、対応する復号処理を施す。公開鍵暗号方式による暗号処理とは、秘密鍵を用いて行われる電子署名、または、公開鍵を用いて行う暗号化をいう。電子署名と暗号化は両方実施されてもよい。また、復号処理とは、暗号処理に対応する処理であり、秘密鍵に対応する公開鍵を用いて行う署名検証、または、公開鍵に対応する秘密鍵を用いて行う復号化をいう。暗号処理や復号処理においては、必要に応じて、セキュアハッシュ関数を用いた付随的処理などを行うことができる。
【００１１】
判定手段は、電子メールに対する暗号処理の状況、または、復号手段による復号処理結果に基づいて、セキュリティ上の安全性を判定する。暗号処理の状況とは、暗号処理の有無や、暗号強度（暗号アルゴリズムや鍵ビット長などで判断できる）などにより判断できる。セキュリティ上の安全性は、一般に、暗号処理が施されていない場合や、復号処理結果が不適当なものであった場合に低いと言える。判定手段は、このような観点から設定された基準に従って、安全性を判定する。
【００１２】
ファクシミリ送信手段は、端局にファクシミリ送信を行う装置である。ファクシミリ送信とは、ファクシミリ回線を用い、ファクシミリのプロトコルに従って行う画像及び非画像情報の送信をいう。判定手段により安全であると判定された場合には、電子メールに含まれる指令に従って、少なくとも電子メールに含まれる画像が送信され、安全ではないと判定された場合には、少なくとも判定結果（画像としてでも非画像情報としてでもよい）が送信される。判定結果に加えて、そのように判定した理由を送信することも可能である。安全であると判定された場合に、さらに判定結果を送信してもよいし、また、安全ではないと判定された場合に、さらに電子メールに含まれる画像の一部または全部を送信することもできる。
【００１３】
この態様によれば、インターネットファクシミリにおいて、復号処理による安全性検証の結果安全ではないと判定された場合には、その判定結果が端局にファクシミリ送信される。これにより、端局のユーザは、安全なインターネットファクシミリが確保できていないことを知覚できる。そして、秘密漏洩や改竄などの問題に迅速に対応することが可能となる。
【００１４】
本発明のインターネットファクシミリ中継装置の一態様においては、暗号処理は、電子メールの送信元の秘密鍵によってなされる電子署名であり、復号処理は、この秘密鍵に対応する公開鍵によってなされる電子署名の検証であり、判定手段は、電子署名の状況、または、電子署名の検証結果に基づいて、セキュリティ上の安全性を判定する。一般に、電子署名がない場合には、安全性は低く、また、電子署名の検証により改竄があると判定された場合には、安全性は著しく低いと言える。判定手段は、このような観点から設定された基準に従って、安全性を判定する。
【００１５】
本発明のインターネットファクシミリ中継装置の一態様においては、暗号処理は、インターネットファクシミリ中継装置の公開鍵によってなされる暗号化であり、復号処理は、この公開鍵に対応する秘密鍵によってなされる復号化であり、判定手段は、暗号化の状況、または、復号化の結果に基づいて、セキュリティ上の安全性を判定する。一般に、暗号化されていない場合には、安全性は低く、暗号化されているが復号化できない問題があった場合には、安全性は著しく低いと言える。判定手段は、このような観点から設定された基準に従って、安全性を判定する。
【００１６】
本発明のインターネットファクシミリ中継装置の一態様においては、ファクシミリ送信手段における判定結果のファクシミリ送信は、判定結果を示す画像を生成し、この画像を端局にファクシミリ送信することで行われる。画像は、電子メールに含まれる画像と合成されて形成されてもよいし、別形成されてもよい。また、本発明のインターネットファクシミリ中継装置の一態様においては、判定結果を示す画像は、電子メールに含まれる画像に判定結果を重畳して生成され、ファクシミリ送信手段における判定結果のファクシミリ送信は、判定結果を示す画像をファクシミリ送信することで、電子メールに含まれる画像と判定結果を同時に端局にファクシミリ送信する。
【００１７】
本発明のインターネットファクシミリ中継装置の一態様においては、ファクシミリ送信手段は、電子メールに含まれる画像のファクシミリ送信に、判定結果をファクシミリプロトコルに従った非画像情報として組み込むことで、電子メールに含まれる画像と判定結果を同時に端局にファクシミリ送信する。例えば、画像をファクシミリ送信する際に、送信のヘッダ部分に非画像情報を組み込むことができる。
【００１８】
本発明のインターネットファクシミリ中継装置の一態様においては、ファクシミリ送信手段は、安全ではないと判定された場合に、電子メールに添付された画像の一部または全部のファクシミリ送信を行わない。安全ではない場合に、必ずしも全ての画像を送信する必要はない。例えば、添付された画像を改竄されたおそれがある場合には、画像の一部をファクシミリ送信すれば十分であるし、端局のファクシミリ番号を改竄されたおそれがある場合には、画像を送信しない方が良いと考えられる。また例えば、画像の復号化に失敗した場合には、画像を送信する必要がなくなる。
【００１９】
本発明のインターネットファクシミリ中継装置の一態様においては、ファクシミリ送信手段は、少なくとも安全ではないと判定された場合に、判定結果に加えて、電子メールの送信元についての情報、または公開鍵暗号方式の実装情報を端局にファクシミリ送信する。電子メールの送信元についての情報には、送信者、送信局、または送信経路の情報が含まれる。この情報は、例えば、受信した電子メールの送信元メールアドレス、メッセージＩＤ若しくはメールヘッダに記録されている受信経路情報（Received From 欄の情報）によって与えられうる。また、電子メールの公開鍵暗号方式の実装情報としては、例えば、公開鍵暗号方式の暗号アルゴリズムや鍵ビット長の情報を例示することができる。
【００２０】
本発明のファクシミリ受信装置は、前記インターネットファクシミリ中継装置からファクシミリ送信される前記端局を構成する装置であって、ファクシミリ送信された非画像情報を画像化して出力する出力手段を備える。ファクシミリ受信機は、演算機能を備えたハードウエアをソフトウエア（プログラム）によって制御することで実現しうる。ハードウエアの例としては、ファクシミリはもちろんのこと、ファクシミリ受信機能を備えたプリンタ（複合機を含む）などを挙げることができる。出力は、例えば、同時に受信する画像に重畳させて行うことが可能であるし、また、重畳させずに別用紙に行うことも可能である。
【発明を実施するための最良の形態】
【００２１】
まず、図１乃至図３を用いて、実施の形態の一態様について説明する。
【００２２】
図１は、本実施の形態にかかる中継装置１０の概略構成を示すブロック図である。中継装置１０は、インターネットファクシミリ中継局として機能する装置であり、スキャナ、プリンタ及びファクシミリを備えた複合機に、所定のプログラムをインストールすることで構成されている。これにより、電子メールに添付された画像を受信し、同じ電子メールにより与えられた指示に従って、この画像をファクシミリ送信することができる。
【００２３】
中継装置１０は、ネットワークＩ／Ｆ（インターフェース）１２、制御モジュール１４、署名検証モジュール１６、復号モジュール１８、出力装置２０、画像生成モジュール２２、電話回線Ｉ／Ｆ２４を備えている。
【００２４】
ネットワークＩ／Ｆ１２は、データの送受信を行うためのものであり、電子メールの受信も行うことができる。電子メールには、公開鍵暗号方式により電子署名や暗号化がなされていてもよい。制御モジュール１４は、受信した電子メールに添付された画像データ（画情報）、電子署名（署名情報）、及び暗号情報を抽出する。暗号情報は、電子メールの暗号についての情報であり、具体的には、暗号化アルゴリズムや鍵ビット長などの情報をいう。そして、署名検証モジュール１６は、抽出された電子署名の有効性を検証する。有効性の検証の際には、署名者の公開鍵が必要となる。この公開鍵は、必要に応じて、ネットワークＩ／Ｆ１２を介して外部認証局にアクセスし、公開鍵証明書を取得することで得られる。また、復号モジュール１８は、抽出された暗号情報をもとに、電子メールの復号化を行う。復号化にあたっては、暗号化された公開鍵に対応する秘密鍵が必要となるが、これは、中継装置１０内に秘密管理されている。出力装置２０は、液晶ディスプレイなどによって構成され、設定に従って電子メールの表示や、各種の処理結果の表示を行うものである。
【００２５】
画像生成モジュール２２は、署名検証結果や、抽出された暗号情報などを基に、ファクシミリ送信のヘッダシートとなる画像を生成する。署名検証結果とは、署名の有無についての情報や署名検証に成功（改竄なし）・不成功（改竄あり）の情報などをいう。
【００２６】
電話回線Ｉ／Ｆ２４は、電子メールに含まれているファクシミリ送信指示に従って、ファクシミリ送信先（端局とも言う）にファクシミリ通信を行う。すなわち、画像生成モジュール２２が生成した画像と、電子メールから抽出した画情報をまとめて端局に送信する。
【００２７】
図２は、インターネットファクシミリの中継システムを説明する模式図である。中継指示局３０は、インターネットファクシミリの送信指示を行う装置であり、ＰＣや複合機などのハードウエアを用いて構築される。中継指示局３０は、インターネット３２を通じて図１に示した中継装置１０に接続されている。そして、中継指示局３０には、電子メールに電子署名を行うための秘密鍵や、電子メールを暗号化するための中継装置１０の公開鍵証明書などが記憶されている。
【００２８】
中継装置１０は、ファクシミリ回線として用いられる電話回線３４にも接続されている。そして、電話回線３４には端局３６が接続されている。端局３６は、ファクシミリ、あるいはファクシミリ機能を備えた複合機などにより構成される装置である。中継装置１０からのファクシミリ送信を受信して、用紙に画像を形成する。
【００２９】
中継指示局３０は、ユーザ指示に従って電子メールを作成する。作成にあたっては、ユーザは、電子メールの送信先の指定、つまり中継装置１０の指定と、最終的なファクシミリ送信先の指定、つまり端局３６の指定を行う。また、電子メールに添付する画情報は、例えば用紙に記載された文書をスキャンすることで生成される。さらに、電子署名の指示や暗号化の指示が受け付けられる。こうして、電子メールとしてのＩＦＡＸ文書４０が生成され、中継指示局３０から中継装置１０へと送信される。ＩＦＡＸ文書４０は、暗号化はなされず電子署名のみがなされた場合の態様を図示したものである。このため、ＩＦＡＸ文書４０には、スキャン画像などの画情報４２と署名情報４４が添付されている。
【００３０】
中継装置１０においては、ＩＦＡＸ文書４０を受信して、ファクシミリ送信用の文書を生成する。ここでは、ＩＦＡＸ文書４０に含まれた画情報４２をもとに、画情報５２を含むＦＡＸ文書５０を生成している。また、ＦＡＸ文書５０のヘッダシート（表紙として送信するＦＡＸ文書）として、ＦＡＸ文書６０を生成している。このＦＡＸ文書６０には、中継装置１０が行った署名検証結果をもとに生成された画情報である署名検証結果情報６２が添付されている。端局３６は、この二つのＦＡＸ文書５０，６０を受信して用紙に出力する。
【００３１】
図３は、中継装置１０における署名検証過程の流れを説明するフローチャートである。以下に、図１と図２を参照しながら、このフローチャートに従って、中継装置１０における署名検証過程の流れを説明する。なお、ここでは、中継装置１０がＩＦＡＸ文書４０を受信した場合、つまり、電子署名のみが行われ暗号化はなされていない電子メールを受信した場合について説明する。
【００３２】
中継装置１０では、ネットワークＩ／Ｆ１２がＩＦＡＸ文書４０を受信すると（Ｓ１０）、制御モジュール１４が電子メールに含まれる画情報４２と署名情報４４を抽出する（Ｓ１２）。そして、署名検証モジュール１６が署名者の公開鍵証明書を用いて署名情報４４を検証し（Ｓ１４）、署名が有効（改竄なし）であるか否（改竄あり）かを判定する（Ｓ１６）。この結果、検証に成功した場合、すなわち署名が有効であると判断された場合には、成功した旨を示す署名検証結果情報６２が生成され（Ｓ１８）、検証に失敗した場合、すなわち署名が無効であると判断された場合には、失敗した旨を示す署名検証結果情報６２が生成される（Ｓ２０）。画像生成モジュール２２は、この署名検証結果情報６２を画像化し、カバーシートイメージを生成する（Ｓ２２）。これにより、署名検証結果情報６２が含まれたＦＡＸ文書６０が生成され、ＦＡＸ文書５０とともに電話回線Ｉ／Ｆ２４を通じて端局３６にファクシミリ送信される（Ｓ２４）。端局３６では、署名検証に成功した場合にも失敗した場合にも、その情報を受け取るため、常にその時点でのセキュリティについて知覚することが可能となる。
【００３３】
続いて、図４と図５を用いて、変形例について説明する。図４は、インターネットファクシミリの中継システムを説明する模式図である。基本的な構成は図２と同様であり、対応する構成要素には同一の番号を付して説明を簡略化する。この例では、中継指示局３０が電子メールにより送信するＩＦＡＸ文書７０には、暗号化画情報７２と暗号情報７４が含まれている。暗号化画情報７２は、スキャン画像等の画情報を中継装置１０の公開鍵で暗号化したものである。また、暗号情報７４は、暗号方式（アルゴリズム）や鍵ビット長などを示す情報である。なお、ＩＦＡＸ文書７０には、図２の場合と同様に署名情報も含まれるが、ここでは簡単のため図示を省略している。
【００３４】
中継装置１０では、ＩＦＡＸ文書７０を受信すると、暗号化画情報７２を復号化し、画情報８４を得る。そして、この画情報８４をＦＡＸ文書８２としてファクシミリ送信するとともに、このファクシミリ送信の中で、暗号情報８０を非画像情報として送信する。画情報８４と暗号情報８０を受信する端局３６では、暗号情報８０に基づく画像を生成し、画情報８４と合成する。これにより、暗号情報９２及び画情報９４がともに画像データとして含まれるＦＡＸ文書９０が作成され、プリントアウトされる。
【００３５】
図５は、図４に示した態様を実現するための処理の流れを示すフローチャートである。中継装置１０では、電子メールを受信すると（Ｓ３０）、制御モジュール１４が電子メールに含まれる暗号化画情報７２、暗号情報７４、及び署名情報を抽出する（Ｓ３２）。署名検証モジュール１６が署名情報を検証し（Ｓ３４）、署名の有効性を判定する（Ｓ３６）。この結果、有効である場合には、検証に成功した旨の署名検証結果情報が生成される（Ｓ３８）。そして、復号モジュール１８が、暗号化画情報７２を復号化する（Ｓ４０）。これにより、画情報８４を含むＦＡＸ文書８２が生成される（Ｓ４２）。また、暗号情報７４に基づいて、暗号関連情報が生成される（Ｓ４４）。暗号関連情報には、暗号情報７４、すなわち暗号化アルゴリズムや鍵ビット長などの情報の他、暗号化の有無についての情報や復号に成功したか否かの情報が含まれる。最後に、電話回線Ｉ／Ｆ２４によって、ＦＡＸ文書８２のファクシミリ送信が行われる。この送信では、画情報８４は画像データとして送信され、暗号関連情報と署名検証結果情報はプロトコルに従った非画像情報として送信される。そして、ファクシミリ送信を受信する端局３６では、画情報と非画像情報とをひとつの画像にまとめて出力する。
【００３６】
なお、ステップＳ３６において、署名検証に失敗した場合には、検証に成功した旨の署名検証結果情報が生成される（Ｓ４８）。この場合には、暗号化画情報の復号化は行われない。このため、画情報は送信されず、署名検証結果情報だけが端局３６へ送信される。署名検証結果情報は、画像化されて送信されてもよいし、非画像情報として送信されてもよい。
【図面の簡単な説明】
【００３７】
【図１】中継装置の概略構成例を示すブロック図である。
【図２】インターネットファクシミリの中継システムの例を説明する模式図である。
【図３】中継装置で行われる署名検証過程を説明するフローチャートである。
【図４】中継システムの変形例を説明する模式図である。
【図５】変形例における署名検証や復号化の過程を説明するフローチャートである。
【符号の説明】
【００３８】
１０  中継装置、１２  ネットワークＩ／Ｆ、１４  制御モジュール、１６  署名検証モジュール、１８  復号モジュール、２０  出力装置、２２  画像生成モジュール、２４  電話回線Ｉ／Ｆ、３０  中継指示局、３２  インターネット、３４  電話回線、３６  端局、４０，７０  ＩＦＡＸ文書、４２，５２，８４，９４  画情報、４４  署名情報、５０，６０，８２，９０  ＦＡＸ文書、６２  署名検証結果情報、７２  暗号化画情報、７４，８０，９２  暗号情報。
【図１】
2007060467.tif 000003
【図２】
2007060467.tif 000004
【図３】
2007060467.tif 000005
【図４】
2007060467.tif 000006
【図５】
2007060467.tif 000007